(57)【要約】【課題】回転ブラシの回転掃除中にブラシ毛内に入り込んだゴミをゴミ収容体に掻き落とす構成を備えた掃除機を提供する。【解決手段】掃除機１は、掃除部本体１０と、掃除部本体１０の前部に回動可能に設けられ、掃除面上のゴミを掻き込む回転ブラシ７０と、回転ブラシ７０を動力伝達手段８０を介して駆動する駆動モータ６０と、掃除部本体１０の後部に着脱可能に取り付けられ、回転ブラシ７０によって掻き込まれたゴミを収容するゴミ収容体１００とを有する。掃除部本体１０及びゴミ収容体１００の少なくとも一方には、回転ブラシ７０に付着したゴミをゴミ収容体１００に掻き落とす櫛部材１５１が設けられている。【選択図】図５
2018079292.tif 000002
【特許請求の範囲】
【請求項１】
掃除部本体と、
掃除部本体の前部に回動可能に設けられ、掃除面上のゴミを掻き込む回転ブラシと、
掃除部本体に取り付けられ、前記回転ブラシを動力伝達手段を介して駆動する駆動モータと、
掃除部本体の後部に着脱可能に取り付けられ、回転ブラシによって掻き込まれたゴミを収容するゴミ収容体とを有し、
掃除部本体及びゴミ収容体の少なくとも一方には、回転ブラシに付着したゴミをゴミ収容体に掻き落とす櫛部材が設けられていることを特徴とする掃除機。
【請求項２】
前記ゴミ収容体は、底壁と、底壁の後部に設けられた後壁と、底壁の左右両側に設けられた側壁とを有し、回転ブラシ側の前部が開放されていることを特徴とする請求項１記載の掃除機。
【請求項３】
前記ゴミ収容体の底壁の前部には、回転ブラシの周面に沿って下降傾斜する傾斜面が形成され、
当該傾斜面には、傾斜面の前端から一部が突出し、当該一部が掃除面に変形可能に接触する弾性帯が設けられていることを特徴とする請求項２記載の掃除機。
【請求項４】
前記ゴミ収容体には、回転ブラシ側の前部を開閉するシャッター部材と、一方がゴミ収容体の底壁から突出し、他方が前記シャッター部材に連係する連係部材が設けられており、
当該連係部材は、一方が掃除面に接触すると他方がシャッター部材を開いてゴミ収容体の前部を開放し、一方が掃除面から離間すると他方がシャッター部材を閉じてゴミ収容体の前部を閉塞するように構成されていることを特徴とする請求項２又は３記載の掃除機。
【請求項５】
前記掃除部本体と、前記掃除部本体を自在継手を介して連結する操作杆とからなり、
前記操作杆は、内部に前記掃除部本体の駆動モータに電気を供給する電源が設けられ、外部に電源及び駆動モータと回路を構成するスイッチが設けられていることを特徴とする請求項１乃至４のいずれか１項に記載の掃除機。
【請求項６】
前記櫛部材には、前記回転ブラシの軸方向に間隔を置いて突設される複数の突起によって形成された凸条部が、異なる高さ位置に２列に設けられているとともに、
それぞれの凸条部を形成する突起の位置は、前記凸条部間で前記回転ブラシの軸方向にずれていることを特徴とする請求項１乃至５のいずれか１項に記載の掃除機。
【発明の詳細な説明】
【技術分野】
【０００１】
本願発明は、掃除面に接触して回転する回転ブラシによって、掃除面上のゴミを掃除部本体内に掻き込む掃除機に関する。
【背景技術】
【０００２】
従来の掃除機は、操作杆と、操作杆の先端にユニバーサルジョイントを介して揺動可能に取り付けられた掃除部本体とからなる。掃除部本体には、掃除面上のゴミを掻き込む回転ブラシと、回転ブラシを動力伝達手段を介して回転させる駆動モータと、回転ブラシによって掻き込まれたゴミを収容するゴミ収容体とからなる（例えば特許文献１〜３）。回転ブラシは、ロール体と、ロール体の全周に設けられたブラシ毛とで形成されている。
【０００３】
操作杆は、後端側に握り部が形成され、当該握り部に前記駆動モータをオン・オフするスイッチが設けられている。従来の掃除機は、操作杆の握り部を握持し、スイッチをオンすると駆動モータが駆動し、歯車、伝達ベルト等の動力伝達手段を介して回転ブラシが回転する。操作杆を操作し、掃除部本体を例えば前方に移動させると、回転ブラシが回転しながら掃除面上のゴミを掻き込んでゴミ収容体に収容する。掃除機は、スイッチをオフすると駆動モータの駆動が停止し、回転ブラシが静止する。
【先行技術文献】
【特許文献】
【０００４】
【特許文献１】特開２００７−２８２８８０号公報
【特許文献２】実用新案登録第３１２４０１５号公報
【特許文献３】特許第５５５５３４０号公報
【発明の概要】
【発明が解決しようとする課題】
【０００５】
従来の掃除機は、回転ブラシが回転しながら掃除面上に接触してゴミを掃除部本体内に掻き込むが、ゴミが密集したブラシ毛の中に入り込むことが多い。ゴミがブラシ毛の中に入り込んだままにしておくと、掃除能力が落ちると共に、回転ブラシの回転中にブラシ毛の中に入り込んだゴミをまき散らすことにもなる。従って、頻繁に掃除部本体から回転ブラシを外し、手でブラシ毛の中に入り込んだゴミを取り出さなければならない。この作業は、煩わしく手間がかかるという問題点があった。
【０００６】
本願発明は、上記問題点に鑑み案出したものであって、回転ブラシの回転中にブラシ毛内に入り込んだゴミをゴミ収容体に掻き落とす構成を備えた掃除機を提供することを目的とする。
【課題を解決するための手段】
【０００７】
本願発明に係る掃除機は、上記目的を達成するため、掃除部本体と、掃除部本体の前部に回動可能に設けられ、掃除面上のゴミを掻き込む回転ブラシと、掃除部本体に取り付けられ、前記回転ブラシを動力伝達手段を介して駆動する駆動モータと、掃除部本体の後部に着脱可能に取り付けられ、回転ブラシによって掻き込まれたゴミを収容するゴミ収容体とを有し、掃除部本体及びゴミ収容体の少なくとも一方には、回転ブラシに付着したゴミをゴミ収容体に掻き落とす櫛部材が設けられていることを特徴とする。
【０００８】
本願発明に係る掃除機は、上記目的を達成するため、前記ゴミ収容体は、底壁と、底壁の後部に設けられた後壁と、底壁の左右両側に設けられた側壁とを有し、回転ブラシ側の前部が開放されていることを特徴とする。
【０００９】
本願発明に係る掃除機は、上記目的を達成するため、前記ゴミ収容体の底壁の前部には、回転ブラシの周面に沿って下降傾斜する傾斜面が形成され、当該傾斜面には、傾斜面の前端から一部が突出し、当該一部が掃除面に変形可能に接触する弾性帯が設けられていることを特徴とする。
【００１０】
本願発明に係る掃除機は、上記目的を達成するため、前記ゴミ収容体には、回転ブラシ側の前部を開閉するシャッター部材と、一方がゴミ収容体の底壁から突出し、他方が前記シャッター部材に連係する連係部材が設けられており、当該連係部材は、一方が掃除面に接触すると他方がシャッター部材を開いてゴミ収容体の前部を開放し、一方が掃除面から離間すると他方がシャッター部材を閉じてゴミ収容体の前部を閉塞するように構成されていることを特徴とする。
【００１１】
本願発明に係る掃除機は、上記目的を達成するため、前記掃除部本体と、前記掃除部本体を自在継手を介して連結する操作杆とからなり、前記操作杆は、内部に前記掃除部本体の駆動モータに電気を供給する電源が設けられ、外部に電源及び駆動モータと回路を構成するスイッチが設けられていることを特徴とする。
【００１２】
さらに本願発明に係る掃除機は、上記目的を達成するため、前記櫛部材には、前記回転ブラシの軸方向に間隔を置いて突設される複数の突起によって形成された凸条部が、異なる高さ位置に２列に設けられているとともに、それぞれの凸条部を形成する突起の位置は、前記凸条部間で前記回転ブラシの軸方向にずれていることを特徴とする。
【発明の効果】
【００１３】
本願発明に係る掃除機は、掃除部本体と、掃除部本体の前部に回動可能に設けられ、掃除面上のゴミを掻き込む回転ブラシと、掃除部本体に取り付けられ、前記回転ブラシを動力伝達手段を介して駆動する駆動モータと、掃除部本体の後部に着脱可能に取り付けられ、回転ブラシによって掻き込まれたゴミを収容するゴミ収容体とを有する。掃除部本体及びゴミ収容体の少なくとも一方には、回転ブラシに付着したゴミをゴミ収容体に掻き落とす櫛部材が設けられている。
【００１４】
本願発明に係る掃除機は、駆動モータを駆動すると、動力伝達手段を介して回転ブラシが回転し、回転ブラシが回転しながら掃除面上のゴミを掻き込んでゴミ収容体に収容する。また、本願発明に係る掃除機は、回転ブラシに付着したゴミを櫛部材によってゴミ収容体に掻き落とすので、回転ブラシの掃除能力の低下を防ぐと共に、ゴミの拡散を防止することができ、掃除能力を向上させることができるという効果がある。
【００１５】
本願発明に係る掃除機は、前記ゴミ収容体は、底壁と、底壁の後部に設けられた後壁と、底壁の左右両側に設けられた側壁とからなり、回転ブラシ側の前部が開放されている。
【００１６】
本願発明に係る掃除機は、ゴミ収容体の前部が開放されているので、回転ブラシによって掻き込まれるゴミを前部からスムーズにゴミ収容体に送り込むことができるという効果がある。
【００１７】
本願発明に係る掃除機は、前記ゴミ収容体の底壁の前部に、回転ブラシの周面に沿って下降傾斜する傾斜面が形成され、当該傾斜面に、傾斜面の前端から一部が突出し、当該一部が掃除面に変形可能に接触する弾性帯が設けられている。
【００１８】
本願発明に係る掃除機は、ゴミ収容体の前部に設けられた弾性帯が、回転ブラシ側、即ち前方に向かって下降傾斜して掃除面に接触するので、前方移動時に、回転ブラシがゴミ収容体内に掻き込むことができなかった掃除面にあるゴミを弾性帯がすくい上げてゴミ収容体に入れることができ、ゴミの収集能力を向上させることができるという効果がある。また、後方移動時に弾性帯が掃除面にあるゴミを乗り越えて移動し、前方移動時に弾性帯がゴミをすくい上げるので、前後方向に掃除部本体を移動させることにより確実にゴミを掻き込むことができるという効果がある。
【００１９】
本願発明に係る掃除機は、前記ゴミ収容体に、回転ブラシ側の前部を開閉するシャッター部材と、一方がゴミ収容体の底壁から突出し、他方が前記シャッター部材に連係する連係部材が設けられている。当該連係部材は、一方が掃除面に接触すると他方がシャッター部材を開いてゴミ収容体の前部を開放し、一方が掃除面から離間すると他方がシャッター部材を閉じてゴミ収容体の前部を閉塞するように構成されている。
【００２０】
本願発明に係る掃除機は、ゴミ収容体の前部が開放されており、ゴミ収容体が傾くと、ゴミ収容体のゴミが、ゴミ収容体の前部と回転ブラシの間の隙間から落ちる可能があったが、ゴミ収容体の前部にシャッター部材が設けられているので、ゴミ収容体の開放された前部からゴミが出ることがない。即ち、清掃時は、掃除部本体が掃除面に接触し、連係部材の一方が掃除面に当接しているので、シャッター部材が開いてゴミ収容体の前部が開放され、ゴミをスムーズにゴミ収容体内に掻き込むことができる。運搬時は、掃除部本体が掃除面から離れ、連係部材の一方が掃除面から離間するので、シャッター部材が閉じてゴミ収容体の前部を閉塞し、ゴミ収容体内に掻き込まれたゴミがゴミ収容体内から出ることがない。このように、本願発明に係る掃除機は、運搬時にゴミがゴミ収容体内から飛び出ることがないという効果がある。
【００２１】
本願発明に係る掃除機は、前記掃除部本体と、前記掃除部本体を自在継手を介して連結する操作杆とからなる。前記操作杆は、内部に前記掃除部本体の駆動モータに電気を供給する電源が設けられ、外部に電源及び駆動モータと回路を構成するスイッチが設けられている。
【００２２】
本願発明に係る掃除機は、操作杆の内部に前除部本体の駆動モータに電気を供給する電源が設けられているので、掃除部本体を軽量化することができ、掃除を楽に行うことができるという効果がある。
【００２３】
さらに本願発明に係る掃除機に、櫛部材として異なる高さ位置に２列の凸条部が設けられていて、それぞれの凸条部を形成する突起の位置が回転ブラシの軸方向にずれていることで、ゴミの取り逃がしが低減されて、ゴミ収容体への収容効率を高めて掃除能力を向上させることができるという効果がある。
【図面の簡単な説明】
【００２４】
【図１】本願発明に係る掃除機の一つの実施の形態を示す全体上方斜視図である。
【図２】図１の掃除機の下方斜視図である。
【図３】図１の掃除機の一部省略した下方斜視図である。
【図４】図１の掃除部本体の上方斜視図である。
【図５】図４のＡ−Ａ断面図である。
【図６】図１の掃除部本体のゴミ収容体を外した下方斜視図である。
【図７】図１の掃除機のゴミ収容体の上方斜視図である。
【図８】図７のゴミ収容体の下方斜視図である。
【図９】図７のゴミ収容体の一部省略した下方斜視図である。
【図１０】図７のゴミ収容体の一部省略した上方斜視図である。
【図１１】図７のゴミ収容体の上方斜視図である。
【図１２】図７のゴミ収容体の櫛部材の斜視図である。
【図１３】図７のゴミ収容体のシャッター部材の斜視図である。
【図１４】図７のシャッター部材を装着したゴミ収容体の斜視図である。
【図１５】図７のシャッター部材を作動する部品の斜視図である。
【図１６】図７のシャッター部材の動きを規制する部品の斜視図である。
【図１７】図７のシャッター部材の動きを説明する動作説明図である。
【図１８】図７のゴミ収容体と回転ブラシの関係を示す斜視図である。
【図１９】図１の掃除部本体の回転ブラシを外した上方斜視図である。
【図２０】図１の掃除部本体の基枠を外した上方斜視図である。
【図２１】図２０の一部を省略した上方斜視図である。
【図２２】図１の掃除部本体と操作杆の関係を説明する上方斜視図である。
【図２３】図１の掃除部本体の回転ブラシを外した左方斜視図である。
【図２４】図１の掃除部本体の回転ブラシを外した右方斜視図である。
【図２５】図１の掃除部本体の回転ブラシの斜視図である。
【図２６】図１の掃除部本体の基枠の一方から視た下方斜視図である。
【図２７】図２６の基枠を他方から視た下方斜視図である。
【図２８】図２６の基枠の上方斜視図である。
【図２９】図２８の基枠の透明板の斜視図である。
【図３０】図１の掃除部本体の下壁の上方斜視図である。
【図３１】図３０の下壁の下方斜視図である。
【図３２】図７のゴミ収容体の上方を上蓋部で覆った状態を示す斜視図である。
【図３３】実施例の掃除機の構成を説明するために拡大して示した斜視図である。
【図３４】実施例の掃除機のゴミ収容体の上方斜視図である。
【図３５】実施例のゴミ収容体の櫛部材の斜視図である。
【発明を実施するための形態】
【００２５】
掃除機の概要について説明する。掃除機１は、図２，２１に示すように、掃除部本体１０と、掃除部本体１０の前部に回動可能に設けられ、掃除面上のゴミを掻き込む回転ブラシ７０と、掃除部本体１０に取り付けられ、前記回転ブラシ７０を動力伝達手段８０を介して駆動する駆動モータ６０と、掃除部本体１０の後部に着脱可能に取り付けられ、回転ブラシ７０によって掻き込まれたゴミを収容するゴミ収容体１００とを有する。掃除部本体１０及びゴミ収容体１００の少なくとも一方には、図５，７に示すように、回転ブラシ７０に付着したゴミをゴミ収容体１００に掻き落とす櫛部材１５１が設けられている。
【００２６】
掃除機１は、駆動モータ６０を駆動すると、動力伝達手段８０を介して回転ブラシ７０が回転し、回転ブラシ７０が回転しながら掃除面上のゴミを掻き込んでゴミ収容体１００に収容する。また、掃除機１は、回転ブラシ７０に付着したゴミを櫛部材１５１によってゴミ収容体１００に掻き落とすので、回転ブラシ７０の掃除能力の低下を防ぐと共に、ゴミの拡散を防止することができ、掃除能力を向上させることができる。
【００２７】
掃除機１のゴミ収容体１００は、図１０に示すように、底壁１０１と、底壁１０１の後部に形成された後壁１０２と、底壁１０１の左右両側に形成された側壁１０３，１０４とからなり、回転ブラシ７０側の前部が開放されている。掃除機１は、ゴミ収容体１００の前部が開放されているので、回転ブラシ７０によって掻き込まれるゴミを前部からスムーズにゴミ収容体１００に送り込むことができる。
【００２８】
掃除機１は、図１０，１１に示すように、前記ゴミ収容体１００の底壁１０１の前部に、回転ブラシ７０の周面に沿って下降傾斜する傾斜面１０８が形成され、当該傾斜面１０８に、傾斜面１０８の前端から先端部１１１が突出し、当該先端部１１１が掃除面に変形可能に接触する弾性帯１１０が設けられている。
【００２９】
掃除機１は、図５に示すように、ゴミ収容体１００の前部に設けられた弾性帯１１０が、回転ブラシ７０側、即ち前方に向かって下降傾斜して掃除面に接触するので、前方移動時に、回転ブラシ７０がゴミ収容体１００内に掻き込むことができなかった掃除面にあるゴミを弾性帯１１０がすくい上げてゴミ収容体１００に入れることができ、ゴミの収集能力を向上させることができる。また、後方移動時に弾性帯１１０が掃除面にあるゴミを乗り越えて移動し、前方移動時に弾性帯１１０がゴミをすくい上げるので、前後方向に掃除部本体１０を移動させることにより確実にゴミを掻き込むことができる。
【００３０】
掃除機１は、図１１，１４，１５，１７に示すように、前記ゴミ収容体１００に、回転ブラシ７０側の前部を開閉するシャッター部材１３０と、一方となる下方後部１４５がゴミ収容体１００の底壁１０１から突出し、他方となる支持板１４３が前記シャッター部材１３０に連係する連係部材としての揺動片１４１が設けられている。当該揺動片１４１は、下方後部１４５が掃除面に接触すると支持板１４３がシャッター部材１３０を開いてゴミ収容体１００の前部を開放し、下方後部１４５が掃除面から離間すると支持板１４３がシャッター部材１３０を閉じてゴミ収容体１００の前部を閉塞するように構成されている。
【００３１】
掃除機１は、ゴミ収容体１００の前部が開放されており、ゴミ収容体１００が傾くと、ゴミ収容体１００のゴミが、ゴミ収容体１００の前部と回転ブラシ７０の間の隙間から落ちる可能があったが、ゴミ収容体１００の前部にシャッター部材１３０が設けられているので、ゴミ収容体１００の開放された前部からゴミが出ることがない。即ち、清掃時は、掃除部本体１０が掃除面に接触し、揺動片１４１の下方後部１４５が掃除面に当接しているので、シャッター部材１３０が開いてゴミ収容体１００の前部が開放され、ゴミをスムーズにゴミ収容体１００内に掻き込むことができる。運搬時は、掃除部本体１０が掃除面から離れ、揺動片１４１の下方後部１４５が掃除面から離間するので、シャッター部材１３０が閉じてゴミ収容体１００の前部を閉塞し、ゴミ収容体１００内に掻き込まれたゴミがゴミ収容体１００内から出ることがない。このように、掃除機１は、運搬時にゴミがゴミ収容体１００内から飛び出ることがない。
【００３２】
掃除機１は、図１，３に示すように、前記掃除部本体１０と、前記掃除部本体１０を自在継手３を介して連結する操作杆２とからなる。前記操作杆２は、内部に前記掃除部本体１０の駆動モータ６０に電気を供給する電源Ｐが設けられ、外部に電源Ｐ及び駆動モータ６０と回路を構成するスイッチ８ａが設けられている。掃除機１は、操作杆２の内部に掃除部本体１０の駆動モータ６０に電気を供給する電源Ｐが設けられているので、掃除部本体１０を軽量化することでき、掃除を楽に行うことができる。
【００３３】
以下、図面に基づいて、掃除機１を詳細に説明する。図１に示すように、掃除機１は、掃除部本体１０と、掃除部本体１０を自在継手（ユニバーサルジョイント）３を介して揺動可能に連結する操作杆２とからなる。
【００３４】
掃除部本体１０は、図４に示すように、保持ケース１１と、保持ケース１１に回動可能に装着される回転ブラシ７０と、図２に示すように、保持ケース１１に着脱可能に取り付けられるゴミ収容体１００とからなる。保持ケース１１は、図５に示すように、後部に駆動部収納室１２が形成され、前部に回転ブラシ収納部１３が形成されている。保持ケース１１は、基枠１５を有する。
【００３５】
回転ブラシ７０は、図５，１８，２５に示すように、円筒体７１と、円筒体７１の全周に亘って取り付けられたブラシ毛７２と、円筒体７１の右端に固定して取り付けられた円板状の右フランジ７３と、円筒体７１の左端に固定して取り付けられた円板状の左フランジ７６とからなる。右フランジ７３の略中心には、右中心軸７４が設けられている。左フランジ７６の略中心には、左中心軸７７が設けられている。左中心軸７７は、一部７５が切り欠かれている。右中心軸７４と左中心軸７７の軸心は、円筒体７１の軸心と略同一となっている。
また、右中心軸７４及び左中心軸７７の少なくとも一方には、メタルリングを取り付けて、耐久性を向上させることができる。例えば、自由回転をする右中心軸７４にのみメタルリングを取り付けることができる。
【００３６】
図２６乃至２８に示すように、基枠１５は、上壁１６と、上壁１６の右端に設けられた右側壁１８と、上壁１６の左端に設けられた左側壁３５とからなる。上壁１６の前部には、矩形状の開口１９が形成され、当該開口１９を塞ぐ透明板２０が取り付けられている。図２９に示すように、透明板２０の前部には、係合片２１が取り付けられ、透明板２０の後部には、一対の三角状ガード片２２，２２が固定されている。係合片２１は、上壁１６の前端縁に係合し、一対の三角状ガード片２２，２２は、回転ブラシ７０から飛び出るゴミの拡散を押さえるようになっている。なお、透明板２０を通して、回転ブラシ７０の動作状態を確認することができる。
【００３７】
上壁１６の後端縁中央には、略Ｕ字状の切り欠き２５が形成され、当該切り欠き２５を挟んだ両側には、半円状の軸受け凹部２６，２７が形成されている。右側壁１８は、周縁に周壁２８が形成され、周壁２８の開口端に右カバー体２９が取り付けられている。この右側壁１８と、周壁２８と右カバー体２９によってロック室３８が形成される。右側壁１８は、前部に回転ブラシ７０の右中心軸７４を回動可能に軸受けする軸受け孔４１が形成され、さらに端縁から軸受け孔４１に回転ブラシ７０の右中心軸７４を案内する案内溝４２が形成されている。ロック室３８内には、図２３に示すように、回転ブラシ７０の右中心軸７４を軸受け孔４１に回動可能に位置決めするロック部材４０が設けられている。
【００３８】
左側壁３５は、周縁に周壁３６が形成され、周壁３６の開口端に左カバー体３７が取り付けられている。この左側壁３５と、周壁３６と左カバー体３７によって動力伝達室３０が形成される。左側壁３５は、前部に回転ブラシ７０の左中心軸７７を間接的に軸受けする軸受け孔３１が形成され、後部に駆動モータ６０の軸挿通穴３２が形成されている。
【００３９】
上壁１６の下部に下壁４５がネジ等により取り付けられている。上壁１６と下壁４５の間には、駆動部収納室１２が形成される。図２０，２１に示すように、下壁４５の後端縁中央には、下方に湾曲する湾曲凹部４８が形成され、当該湾曲凹部４８を挟んだ上面両側には、半円状の軸受け凹部４６，４７が形成されている。また、下壁４５の湾曲凹部４８の上面前部近傍には、係止爪４９が形成されている。下壁４５の湾曲凹部４８を挟んだ下面両側には、図３１に示すように、係合突起５１，５２が形成されている。湾曲凹部４８には、複数の例えばスリット状の通気孔５３が形成されている。
【００４０】
上壁１６に下壁４５が取り付けられると、図４，６に示すように、上壁１６の軸受け凹部２６と下壁４５の軸受け凹部４６が重なって軸受け孔５６が形成され、上壁１６の軸受け凹部２７と下壁４５の軸受け凹部４７が重なって軸受け孔５７が形成される。図３０，３１に示すように、下壁４５の左方には、駆動モータ６０を取り付ける取付凹部５５が形成されている。取付凹部５５には、駆動モータ６０の装着後、駆動モータ６０を覆うモータカバー６１がネジ等により固定される。
【００４１】
下壁４５の下面両側には、取付側板６２，６５が下方に向かって設けられている。取付側板６２，６５の下端縁６３，６６は、下壁４５と略平行となっている。下端縁６３，６６には、略三角状の連結凹部６４，６７が形成されている。また下壁４５の前端縁５０には、回転ブラシ７０の外周面に沿って傾斜するガイド面６９を備えたガイド部材６８が一体で形成されている。このガイド面６９が回転ブラシ収納部１３の一部を構成する。さらに、下壁４５の前端縁５０近傍の下面には、係合凹条５９が前端縁５０と略平行に形成されている。
【００４２】
前記左側壁３５の動力伝達室３０には、駆動車８１と、従動車８２と、従動車８２と一体の小歯車８３と、小歯車８３と常にかみ合う大歯車８４が設けられている。駆動車８１と、従動車８２と、小歯車８３と、大歯車８４とによって、駆動モータ６０の動力を回転ブラシ７０に伝達する動力伝達手段８０を構成するが、これ以外の構成であっても構わないのは勿論である。前記駆動モータ６０は、駆動軸が軸挿通穴３２を挿通して動力伝達室３０内に挿通し、動力伝達室３０内の駆動軸に駆動車８１が固定されている。駆動車８１と従動車８２は、図示しないベルトによって連係されている。右側壁１８の軸受け孔３１には、図２３，２４に示すように、連結ジョイント８５が回動可能に取り付けられている。連結ジョイント８５は、一方に前記大歯車８４を回動不能に取り付ける係合突起８６が形成され、他方に前記左中心軸７７を回動不能に連結する断面矩形状の連結凹部８７が形成されている。
【００４３】
ゴミ収容体１００は、図８，１１に示すように、底壁１０１と、底壁１０１の後部に設けられた後壁１０２と、底壁１０１の左側に設けられた左側壁１０３と、底壁１０１の右側に設けられた右側壁１０４と有し、回転ブラシ７０側となる前部が開放されている。後壁１０２と左側壁１０３は、底壁１０１と一体で成形されている。右側壁１０４は、底壁１０１の右端にネジ、接着剤等の固定手段により固定されているが、底壁１０１と一体で成形しても構わない。左側壁１０３と右側壁１０４の外側面には、略三角状の連結凸部１０５，１０６が形成されている。
【００４４】
底壁１０１は、前部に下降傾斜する傾斜面１０８が形成されている。傾斜面１０８は、回転ブラシ７０の周面に沿って下降傾斜し、回転ブラシ７０の軸方向と略平行に延設されている。この傾斜面１０８には、薄い厚みの弾性帯１１０が接着剤等の固着手段により取り付けられている。弾性帯１１０は、先端部（一部）１１１が傾斜面１０８の先端縁から突出し、先端部（一部）１１１が撓むようになっている。弾性帯１１０は、ゴム、ウレタン、軟質合成樹脂等の可撓性素材で形成されている。
【００４５】
底壁１０１の下面後部には、一対の凹部１１３，１１４が形成されている。凹部１１３，１１４の対向する面には、ガイド孔１１５，１１６が形成され、ガイド孔１１５，１１６に操作片１２０，１２１が摺動可能に設けられている。操作片１２０，１２１は、底壁１０１の上面上をスライドするようになっており、上面に係合爪１２２，１２３が形成されている。操作片１２０，１２１は、図示しないバネ部材により係合爪１２２，１２３が互いに離れる方向に付勢されている。操作片１２０，１２１は、図７に示すように、カバー部材１２５によってカバーされ、前記係合爪１２２，１２３がカバー部材１２５から突出する。
【００４６】
図９，１０に示すように、底壁１０１の右側には、右側壁１０４と略平行の仕切壁１２７が底壁１０１と一体で成形されている。仕切壁１２７と左側壁１０３の間には、図１１に示すように、シャッター部材１３０が設けられている。シャッター部材１３０は、図１３に示すように、落下防止板１３１と、落下防止板１３１の両端に一体で設けられたアーム部材１３２，１３３と、アーム部材１３２，１３３の先端に設けられた支軸１３５，１３６とからなる。右側のアーム部材１３３には、ガイド軸１３７が形成されている。シャッター部材１３０は、図１０に示すように、左側のアーム部材１３２の支軸１３５が左側壁１０３に形成された軸孔１０７に回動可能に取り付けられ、右側のアーム部材１３３の支軸１３６が仕切壁１２７に形成された軸孔１０９に回動可能に取り付けられている。従って、シャッター部材１３０は、支軸１３５，１３６を中心として落下防止板１３１が上下動可能となっており、自重により落下防止板１３１が底壁１０１の前部で当接する。
【００４７】
前記右側壁１０４と仕切壁１２７の間には、シャッター駆動室１３９が形成される。右側壁１０４は、仕切壁１２７にネジ等の固定手段により固定され、シャッター駆動室１３９を覆う上壁１２６が形成されている。前記シャッター部材１３０のガイド軸１３７は、仕切壁１２７に形成された長孔１２８を挿通してシャッター駆動室１３９内に突出する。長孔１２８は、軸孔１０９を中心とした円弧状に形成されている。
【００４８】
シャッター駆動室１３９内の仕切壁１２７には、図９に示すように、中心軸１２９が形成されている。シャッター駆動室１３９内であって、当該中心軸１２９には、図１４に示すように、揺動片１４１とストッパー片１４６が揺動可能に取り付けられている。揺動片１４１は、図１５に示すように、矩形板状に形成され、前部に取付孔１４２が設けられ、上方前部に支持板１４３が形成され、上方後部に当接板１４４が形成されている。揺動片１４１は、取付孔１４２が仕切壁１２７の中心軸１２９に回動可能に取り付けられ、支持板１４３がシャッター部材１３０のガイド軸１３７を支持するように構成されている。さらに揺動片１４１は、自重及びシャッター部材１３０の重みにより、下方後部１４５が底壁１０１に形成された開口１１８から突出し、当接板１４４が底壁１０１に当接して下方後部１４５の突出量を規制している。
【００４９】
ストッパー片１４６は、図１６に示すように、矩形板状に形成され、前部に取付孔１４７が設けられ、上方前部に接触板１４８が形成されている。接触板１４８の後部には、阻止板１４９が形成されている。ストッパー片１４６は、取付孔１４７が仕切壁１２７の中心軸１２９に回動可能に取り付けられ、接触板１４８が自重によりシャッター部材１３０のガイド軸１３７に接触するように構成されている。図１７に示すように、揺動片１４１が上方に移動すると、支持板１４３がガイド軸１３７を上方に移動させるが、ガイド軸１３７が接触板１４８の下面を摺動して阻止板１４９に係合し、ガイド軸１３７の上方への移動が阻止されるようになっている。なお、ストッパー片１４６が揺動片１４１より先に中心軸１２９に取り付けられる。
【００５０】
仕切壁１２７の前部上端には、取付ボス１３８が形成され、左側壁１０３近傍の底壁１０１前部には取付ボス１１９が形成されている。図７に示すように、当該取付ボス１３８，１１９に櫛部材１５１が取り付けられている。図１２に示すように、櫛部材１５１は、細長い板状の取付板１５２と、取付板１５２の上端に形成された凸条部１５３と、凸条部１５３に等間隔で突設された複数の突起１５５と、凸条部１５３の上部に形成された係合突条１５６と、取付板１５２の右側後部に形成された取付部１５７と、取付板１５２の左側後部に形成された取付部１５８とからなる。櫛部材１５１は、右側の取付部１５７が取付ボス１３８にネジ等によって固定され、左側の取付部１５８が取付ボス１１９にネジ等によって固定されて、ゴミ収容体１００に取り付けられている。複数の突起１５５は、凸条部１５３の前部に前方に向かって突出するように形成されており、回転ブラシ７０のブラシ毛７２内に入るようになっている。前記係合突条１５６は、下壁４５の係合凹条５９に係合するようになっている。
【００５１】
一方、図７には、ゴミ収容体１００の上方が開放された状態を示しているが、この上面開口は、図３２に示すように、上蓋部１６０によって開閉自在に塞ぐことができる。この上蓋部１６０は、ゴミ収容体１００の上面開口の略全面を覆う平面形状に形成されており、駆動モータ６０が収容される箇所は、円筒凹部１６５として窪んだ形状となっている。
この上蓋部１６０は、ゴミ収容体１００の後壁１０２側に設けられたヒンジを支点に上下に開閉させることができる。詳細には、図７に示すように、ゴミ収容体１００の後壁１０２の中央より左側壁１０３側には軸受片１６３が設けられ、右側壁１０４側の仕切壁１２７の後壁１０２側の上縁には軸受穴１６４が穿孔される。そして、図３２に示すように、上蓋部１６０の後壁１０２側に設けられたヒンジ軸１６１，１６１Ａを、それぞれ軸受片１６３と軸受穴１６４に回動自在に支持させる。このような構成にすることによって、つまみ部１６２を摘んで、上蓋部１６０を自由に開閉させることができる。このような上蓋部１６０を設けることによって、ゴミ収容体１００を掃除部本体１０から外した際に、ゴミがゴミ収容体１００内から飛び出ることを防ぐことができる。
【００５２】
操作杆２は、図１に示すように、下部連結杆６と、下部連結杆６の上部に下部を着脱可能に連結する上部連結杆７とからなる。上部連結杆７の上部には握り部８が設けられている。下部連結杆６の下部に自在継手（ユニバーサルジョイント）３が取り付けられている。下部連結杆６と上部連結杆７は、パイプ状に形成されている。下部連結杆６と上部連結杆７及び上部連結杆７と握り部８とは分離可能に構成されており、上部連結杆７を取り外して下部連結杆６に握り部８を接続することで、ハンディタイプの操作杆２にすることができる。
【００５３】
図３に示すように、下部連結杆６には電池等の電源収納室６ａが形成され、電源収納室６ａ内に電池等の電源Ｐが収納され、この電源収納室６ａが蓋体９によって塞がれている。握り部８には、スイッチ８ａが設けられている。このスイッチ８ａと電源Ｐと前記駆動モータ６０が電気的に接続され電気回路を構成している。操作杆２は、下部連結杆６に設けられた自在継手３の連結軸３ａ，３ａが掃除部本体１０の軸受け孔５６，５７に軸受けされて掃除部本体１０に取り付けられている。
この電源Ｐには、図４に示すように、掃除部本体１０の側面に設けられた充電用ジャックＰ１から充電を行うことができる。また、電源Ｐの充電状況は、隣接して設けられた表示ランプＰ２によって確認することができる。
【００５４】
掃除機１は、以上の構成を有し以下のように使用することができる。掃除機１は、掃除部本体１０からゴミ収容体１００と回転ブラシ７０を着脱することができる。ゴミ収容体１００は、連結凸部１０５，１０６を保持ケース１１の連結凹部６４，６７（図６参照）に下方から差し込んで連結し、操作片１２０，１２１の係合爪１２２，１２３を保持ケース１１の係合突起５１，５２に係合させて取り付けることができる。また、掃除機１は、ゴミ収容体１００の操作片１２０，１２１を図示しないバネ部材の弾性に抗して互いに近付けることにより、係合爪１２２，１２３が保持ケース１１の係合突起５１，５２から外れ、ゴミ収容体１００を掃除部本体１０から取り外すことができる。
【００５５】
回転ブラシ７０は、一部７５が切り欠かれた左中心軸７７を左側壁３５に取り付けられた連結ジョイント８５の連結凹部８７に差し込むと、連結ジョイント８５に回動不能に連結される。右中心軸７４を右側壁１８の案内溝４２に差し込むと、軸受け孔４１の位置でロック部材４０に回動可能にロックされる。回転ブラシ７０は、このようにして掃除部本体１０の回転ブラシ収納部１３内で回転可能に取り付けられる。また、ロック部材４０のロックを解除すると、回転ブラシ７０の右中心軸７４が案内溝４２内を移動可能となり、右中心軸７４を軸受け孔４１の位置から移動させて、回転ブラシ７０を掃除部本体１０から取り外すことができる。
【００５６】
ゴミ収容体１００は、掃除部本体１０が掃除面から離れていると、図１８に示すように、揺動片１４１の下方後部１４５が、自重及びシャッター部材１３０の重みにより、底壁１０１に形成された開口１１８から突出し、シャッター部材１３０の落下防止板１３１が底壁１０１に当接して前部開放を塞いでいる。ゴミ収容体１００は、掃除部本体１０を掃除面に接地させると、図１７に示すように、揺動片１４１の下方後部１４５が掃除面によって押し上げられ、揺動片１４１の支持板１４３がシャッター部材１３０のガイド軸１３７を上方に持ち上げ、シャッター部材１３０の落下防止板１３１が底壁１０１から上昇して、前部を開放する。
【００５７】
掃除機１は、ゴミ収容体１００と回転ブラシ７０を掃除部本体１０に取り付けた状態において、掃除部本体１０を掃除面に接地させ、握り部８のスイッチ８ａをオンすると、図２１に示すように、駆動モータ６０が回転し、駆動車８１、従動車８２、小歯車８３、大歯車８４、連結ジョイント８５、左中心軸７７を介して回転ブラシ７０が回転する。回転ブラシ７０は、前方から後方に掃除面を擦るように回転する（図５の時計方向回転）。回転ブラシ７０のブラシ毛７２が掃除面のゴミを掃除部本体１０内に掻き込む。掻き込まれたゴミは、開放された前部からゴミ収容体１００内に収容される。また、ブラシ毛７２内に入り込んだゴミは、櫛部材１５１の複数の突起１５５によって掻き落とされ、ゴミ収容体１００内に収容される。このようにして、掃除面のゴミを回転ブラシ７０が確実に掻き取ることができる。
【００５８】
掃除機１は、回転ブラシ７０を回転させながら、前後方向に移動させる。前方移動の時には、回転ブラシ７０がゴミを掻き込むのと同時に、ゴミ収容体１００の底壁１０１前部に設けられた弾性帯１１０の先端部１１１が掃除面に接地しながら移動するので、弾性帯１１０がゴミを拾い上げて、ゴミ収容体１００内にゴミを送り込む。後方移動の時には、弾性帯１１０の先端部１１１が撓んで掃除面のゴミを乗り越えるので、ゴミを後方に引きずることがなく、乗り越えたゴミを回転ブラシ７０が掻き込むことになる。
【００５９】
ゴミ収容体１００は、上部が掃除部本体１０の下壁４５によって塞がれて密閉されており、回転ブラシ７０の回転による風圧により、ゴミ収容体１００の内圧が高まり、ゴミの収容能力が低下する場合もあり得る。しかし、下壁４５には、ゴミ収容体１００内と外気とを連通する通気孔５３が形成されているので、回転ブラシ７０の風圧を外に逃がすことができ、ゴミ収容体１００の内圧が高まることがない。
【００６０】
掃除機１は、掃除部本体１０を掃除面から離すと、揺動片１４１の下方後部１４５が底壁１０１に形成された開口１１８から突出し、シャッター部材１３０の落下防止板１３１がゴミ収容体１００の底壁１０１に当接して、ゴミ収容体１００の開放された前部を塞ぐ。従って、掃除機１は、持ち上げて移動させる場合には、ゴミ収容体１００内のゴミを外に排出することがない。
【実施例】
【００６１】
以下、前記した実施の形態とは別の形態の実施例の掃除機１Ａについて、図３３−図３５を参照しながら説明する。なお、前記実施の形態で説明した内容と同一乃至均等な部分の説明については、同一用語又は同一符号を付して説明する。
【００６２】
本実施例で説明する掃除機１Ａは、前記実施の形態で説明した掃除機１と櫛部材の構成が異なっている。すなわち前記実施の形態で説明した掃除機１の櫛部材１５１は、回転ブラシ７０の軸方向に延びる１列の凸条部１５３によって形成されていたが、本実施例の掃除機１Ａの櫛部材１５１Ａは、２列の凸条部（１５３Ａ，１５３Ｂ）によって形成される。
【００６３】
掃除機１Ａは、図３３，３４に示すように、掃除部本体１０Ａと、掃除部本体１０Ａの前部に回動可能に設けられ、掃除面上のゴミを掻き込む回転ブラシ７０と、掃除部本体１０Ａに取り付けられ、前記回転ブラシ７０を動力伝達手段８０を介して駆動する駆動モータ６０と、掃除部本体１０Ａの後部に着脱可能に取り付けられ、回転ブラシ７０によって掻き込まれたゴミを収容するゴミ収容体１００Ａとを有する。掃除部本体１０Ａ及びゴミ収容体１００Ａの少なくとも一方には、回転ブラシ７０に付着したゴミをゴミ収容体１００Ａに掻き落とす櫛部材１５１Ａが設けられている。
【００６４】
図３５に示すように、櫛部材１５１Ａは、細長い板状の取付板１５２と、取付板１５２の下端側に形成された第１凸条部１５３Ａと、取付板１５２の上端側に形成された第２凸条部１５３Ｂとを有している。すなわち、異なる高さ位置に２列に凸条部（１５３Ａ，１５３Ｂ）が設けられる。そして、第１凸条部１５３Ａには、回転ブラシ７０の軸方向に等間隔ｄで複数の第１突起１５５Ａが突起として突設される。また、第２凸条部１５３Ｂには、回転ブラシ７０の軸方向に等間隔ｄで複数の第２突起１５５Ｂが突起として突設される。突起（１５５Ａ，１５５Ｂ）は、前方（回転ブラシ７０側）に向かって突出するように形成されており、回転ブラシ７０のブラシ毛７２内に入るようになっている。
【００６５】
ここで、２列の凸条部（１５３Ａ，１５３Ｂ）を形成する突起（１５５Ａ，１５５Ｂ）の位置は、凸条部（１５３Ａ，１５３Ｂ）間で回転ブラシ７０の軸方向にずれている。詳細には図３５に示すように、第１突起１５５Ａ，１５５Ａ間の間隔はｄとなるが、その半ピッチ（ｄ／２）ずれた位置に第２突起１５５Ｂが配置される。このような突起（１５５Ａ，１５５Ｂ）の配置とすることで、最初に第１凸条部１５３Ａの複数の第１突起１５５Ａによってゴミを掻き落とし、それを通過したゴミを第２凸条部１５３Ｂの複数の第２突起１５５Ｂによって掻き落とさせることができる。
【００６６】
このように回転ブラシ７０の回転方向に間隔を置いて、突起（１５５Ａ，１５５Ｂ）の位置を半ピッチ（ｄ／２）ずらした２列の凸条部（１５３Ａ，１５３Ｂ）を設けることによって、交互補完がなされてゴミの取り逃がしが低減される。この結果、掃除面のゴミを回転ブラシ７０で確実に掻き取らせて、ゴミ収容体１００Ａへの収容効率を高めることができる。
なお、他の構成及び作用効果については、前記実施の形態と略同様であるので説明を省略する。
【００６７】
以上、図面を参照して、本発明の実施の形態を詳述してきたが、具体的な構成は、この実施の形態に限らず、本発明の要旨を逸脱しない程度の設計的変更は、本発明に含まれる。
【００６８】
例えば、前記実施の形態では、操作片１２０，１２１の係合爪１２２，１２３を保持ケース１１の係合突起５１，５２に係合させることでゴミ収容体１００を掃除部本体１０に取り付ける構成としたが、これに限定されるものではなく、磁石を利用してゴミ収容体を着脱させる構成とすることもできる。例えば、ゴミ収容体側の後壁の中央近辺に板状の磁石を取り付け、掃除部本体の対峙させる下面側に鉄などの強磁性体を取り付けておくことで、簡単な構成でゴミ収容体を着脱させることができるようになる。
【産業上の利用可能性】
【００６９】
本願発明は、掃除面に接触して回転する回転ブラシによって、掃除面上のゴミを掃除部本体内に掻き込む掃除機に利用可能である。
【符号の説明】
【００７０】
Ｐ  電源
１，１Ａ  掃除機
２  操作杆
３  自在継手（ユニバーサルジョイント）
３ａ  連結軸
６  下部連結杆
６ａ  電源収納室
７  上部連結杆
８  握り部
８ａ  スイッチ
９  蓋体
１０，１０Ａ  掃除部本体
１１  保持ケース
１２  駆動部収納室
１３  回転ブラシ収納部
１５  基枠
１６  上壁
１８  右側壁
１９  開口
２０  透明板
２１  係合片
２２  三角状ガード片
２５  切り欠き
２６  軸受け凹部
２７  軸受け凹部
２８  周壁
２９  右カバー体
３０  動力伝達室
３１  軸受け孔
３２  軸挿通穴
３５  左側壁
３６  周壁
３７  左カバー体
３８  ロック室
４０  ロック部材
４１  軸受け孔
４２  案内溝
４５  下壁
４６  軸受け凹部
４７  軸受け凹部
４８  湾曲凹部
４９  係止爪
５０  前端縁
５１  係合突起
５２  係合突起
５３  通気孔
５５  取付凹部
５６  軸受け孔
５７  軸受け孔
５９  係合凹条
６０  駆動モータ
６１  モータカバー
６２  右取付側板
６３  下端縁
６４  連結凹部
６５  左取付側板
６６  下端縁
６７  連結凹部
６８  ガイド部材
６９  ガイド面
７０  回転ブラシ
７１  円筒体
７２  ブラシ毛
７３  右フランジ
７４  右中心軸
７５  一部
７６  左フランジ
７７  左中心軸
８０  動力伝達手段
８１  駆動車
８２  従動車
８３  小歯車
８４  大歯車
８５  連結ジョイント
８６  係合突起
８７  連結凹部
１００，１００Ａ  ゴミ収容体
１０１  底壁
１０２  後壁
１０３  左側壁
１０４  右側壁
１０５  連結凸部
１０６  連結凸部
１０７  軸孔
１０８  傾斜面
１０９  軸孔
１１０  弾性帯
１１１  先端部（一部）
１１３  凹部
１１４  凹部
１１５  ガイド孔
１１６  ガイド孔
１１８  開口
１１９  取付ボス
１２０  操作片
１２１  操作片
１２２  係合爪
１２３  係合爪
１２５  カバー部材
１２６  上壁
１２７  仕切壁
１２８  長孔
１２９  中心軸
１３０  シャッター部材
１３１  落下防止板
１３２  アーム部材
１３３  アーム部材
１３５  支軸
１３６  支軸
１３７  ガイド軸
１３８  取付ボス
１３９  シャッター駆動室
１４１  揺動片（連係部材）
１４２  取付孔
１４３  支持板（他方）
１４４  当接板
１４５  下方後部（一方）
１４６  ストッパー片
１４７  取付孔
１４８  接触板
１４９  阻止板
１５１，１５１Ａ  櫛部材
１５２  取付板
１５３  凸条部
１５３Ａ  第１凸条部（凸条部）
１５３Ｂ  第２凸条部（凸条部）
１５５  突起
１５５Ａ  第１突起（突起）
１５５Ｂ  第２突起（突起）
１５６  係合突条
１５７  取付部
１５８  取付部
１６０  上蓋部
１６１，１６１Ａ  ヒンジ軸
【図１】
2018079292.tif 000003
【図２】
2018079292.tif 000004
【図３】
2018079292.tif 000005
【図４】
2018079292.tif 000006
【図５】
2018079292.tif 000007
【図６】
2018079292.tif 000008
【図７】
2018079292.tif 000009
【図８】
2018079292.tif 000010
【図９】
2018079292.tif 000011
【図１０】
2018079292.tif 000012
【図１１】
2018079292.tif 000013
【図１２】
2018079292.tif 000014
【図１３】
2018079292.tif 000015
【図１４】
2018079292.tif 000016
【図１５】
2018079292.tif 000017
【図１６】
2018079292.tif 000018
【図１７】
2018079292.tif 000019
【図１８】
2018079292.tif 000020
【図１９】
2018079292.tif 000021
【図２０】
2018079292.tif 000022
【図２１】
2018079292.tif 000023
【図２２】
2018079292.tif 000024
【図２３】
2018079292.tif 000025
【図２４】
2018079292.tif 000026
【図２５】
2018079292.tif 000027
【図２６】
2018079292.tif 000028
【図２７】
2018079292.tif 000029
【図２８】
2018079292.tif 000030
【図２９】
2018079292.tif 000031
【図３０】
2018079292.tif 000032
【図３１】
2018079292.tif 000033
【図３２】
2018079292.tif 000034
【図３３】
2018079292.tif 000035
【図３４】
2018079292.tif 000036
【図３５】
2018079292.tif 000037